(57)【要約】【課題】装置本体に対してスライド部材をスライドさせることにより把持部を形成する撮像装置において、撮像素子で得た画像や表示部に表示される画像の画質を低下させないようにすること。【解決手段】撮像装置１は、装置本体２と、この装置本体２にスライド可能に連結されたスライド部材３を備えている。装置本体２は、撮像レンズ１１と撮像素子が設けられたレンズ鏡筒と、回路基板と、表示部１５とを有する。スライド部材３は、撮像レンズ１１を開閉可能に覆う前カバー２１と、後カバー２２と、後カバー２２に配置されたズームボタン３１とを有する。後カバー２２は、撮像レンズ１１が開放された状態で装置本体２の外側に突出して把持部を形成する。【選択図】図３
2010026266.tif 000002
【特許請求の範囲】
【請求項１】
被写体からの光が入射する撮像レンズと前記撮像レンズによって導かれた光を電気信号に変換する撮像素子が設けられたレンズ鏡筒と、前記撮像素子と電気的に接続された回路基板と、前記回路基板と電気的に接続された表示部とを有する装置本体と、
前記装置本体にスライド可能に連結され、前記撮像レンズを開閉可能に覆う前カバーと、前記前カバーが前記撮像レンズを閉塞した状態で前記装置本体内に収納され、前記前カバーが前記撮像レンズを開放した状態で前記装置本体の外側に突出して把持部を形成する後カバーと、前記後カバーに配置された操作部とを有するスライド部材と、
を備えた撮像装置。
【請求項２】
前記装置本体は、前記前カバーに覆われる開口部を有し、
前記回路基板は、前記開口部を貫通するように配置される
請求項１記載の撮像装置。
【請求項３】
前記装置本体は、前記開口部の周囲に前記スライド部材を案内するガイド部を有する
請求項２記載の撮像装置。
【請求項４】
前記表示部は、前記装置本体の前記前カバーに覆われる面の反対側の面に露出され、
前記後カバーは、前記表示部と前記回路基板との間に収納される
請求項１記載の撮像装置。
【請求項５】
前記装置本体は、前記表示部と前記回路基板との間であって前記後カバーと干渉しないスペースに配置されるサブ回路基板を有する
請求項４記載の撮像装置。
【請求項６】
前記表示部は、前記サブ回路基板を介して前記回路基板に電気的に接続される
請求項５記載の撮像装置。
【発明の詳細な説明】
【技術分野】
【０００１】
本発明は、装置本体に対してスライドするスライド部を有し、スライド部を装置本体から突出させることによりグリップ部が形成される撮像装置に関する。
【背景技術】
【０００２】
一般的なデジタルスチルカメラの背面には、液晶ディスプレイや有機ＥＬディスプレイなどの表示部が設けられている。この表示部には、レンズを介して得た被写体の像や、撮像した画像が表示される。
【０００３】
近年、デジタルスチルカメラは、大型の表示部を有するものが好まれており、表示部が背面全体を占有するデジタルスチルカメラが提案されている。一方、表示部を大型化することにより、カメラを把持するための把持部や、操作ボタンを配置するスペースなどの確保が困難になる。
【０００４】
そこで、カメラ本体にスライドするスライド部を設け、スライド部をカメラ本体から突出させることにより、操作ボタンを配置するスペースや把持部などを確保する撮像装置が考えられている。
【０００５】
従来のこの種の撮像装置としては、例えば、特許文献１に記載されているようなものがある。特許文献１には、大きなＬＣＤ（Liquid Crystal Display）を用いて視認性を向上させたビデオカメラに関するものが記載されている。この特許文献１に記載されたビデオカメラは、被写体撮影用のレンズ等が設けられた本体部と、スライド機構を介して本体部に連結されたＬＣＤモニターとを備えている。ＬＣＤモニターは、本体に対してスライドすることにより一部が本体の側方から突出するようになっている。このビデオカメラでは、ＬＣＤモニターを本体部の側方から突出させると、ＬＣＤモニターの裏に隠れていたグリップ部が露出される。
【０００６】
また、従来のこの種の撮像装置としては、例えば、特許文献２に記載されているようなものもある。特許文献２には、２つの表示手段を有するデジタルカメラ、携帯電話等の携帯機器に関するものが記載されている。この特許文献２に記載された携帯機器は、撮像手段を有する本体と、この本体に対してスライド可能に連結され、本体に対してスライドすることにより一部が本体の側方に突出するスライド部とを備えている。
【０００７】
スライド部には、本体の後方に向いた第１の表示部と、本体の前方に向いた第２の表示部が設けられている。この携帯機器では、スライド部が本体の側方に突出すると、第２の表示部が露出される。また、スライド部が本体の側方に突出すると、スライド部の裏に隠れていた操作ボタンが露出される。
【０００８】
【特許文献１】特開平８−９８０７１号公報
【特許文献２】特開２００５−５１５３１号公報
【発明の開示】
【発明が解決しようとする課題】
【０００９】
しかしながら、特許文献１に記載されたビデオカメラや特許文献２に記載された携帯機器では、撮像レンズ及び撮像素子が設けられた本体と、表示部が設けられたスライド部が相対的に移動する構成となっていた。
【００１０】
そのため、電気部品が実装される基板が本体に搭載されている場合には、その基板と表示部とを電気的に接続するフレキシブル配線板を長くして屈曲させる必要がある。また、基板がスライド部に搭載される場合には、その基板と撮像素子とを電気的に接続するフレキシブル配線板を長くして屈曲させる必要がある。
【００１１】
フレキシブル配線板を長くしたり屈曲させたりすると、このフレキシブル配線板によって伝達される信号にノイズが発生し易くなる。そのため、撮像素子によって得た画像や、表示部に表示される画像の画質が低下してしまうという問題があった。
【００１２】
また、基板と表示部を接続するフレキシブル配線板や、基板と撮像素子を接続するフレキシブル配線板は、伝達する信号が多いため、その他の箇所で使用されるフレキシブル配線板に比べて大型のものとなる。このような大型のフレキシブル配線板を長くしたり屈曲させたりするには、本体内やスライド部内に大きなスペースを確保しなければならないという問題があった。
【００１３】
本発明は、このような状況に鑑みてなされたものであり、装置本体に対してスライド部材をスライドさせることにより把持部を形成する撮像装置において、撮像素子で得た画像や表示部に表示される画像の画質を低下させないようにすることを目的とする。
【課題を解決するための手段】
【００１４】
本発明の撮像装置は、装置本体と、この装置本体にスライド可能に連結されたスライド部材を備えている。装置本体は、被写体からの光が入射する撮像レンズと撮像レンズによって導かれた光を電気信号に変換する撮像素子が設けられたレンズ鏡筒と、撮像素子と電気的に接続された回路基板と、回路基板と電気的に接続された表示部とを有する。スライド部材は、撮像レンズを開閉可能に覆う前カバーと、前カバーが撮像レンズを閉塞した状態で装置本体内に収納され、前カバーが撮像レンズを開放した状態で装置本体の外側に突出して把持部を形成する後カバーと、後カバーに配置された操作部とを有する。
【００１５】
本発明の撮像装置は、撮像レンズ及び撮像素子を有するレンズ鏡筒と、表示部と、回路基板が装置本体に設けられている。そして、スライド部材には、操作部が設けられている。したがって、スライド部材をスライドさせるために、回路基板と表示部を接続するフレキシブル配線板や、回路基板と撮像素子を接続するフレキシブル配線板を長くしたり、屈曲させたりする必要が無い。また、スライド部材をスライドさせても、回路基板と表示部を接続するフレキシブル配線板や、回路基板と撮像素子を接続するフレキシブル配線板に外力が加わらないようにすることができる。
【発明の効果】
【００１６】
本発明の撮像装置によれば、装置本体に対してスライド可能なスライド部材を備えていても、撮像素子によって得た画像や表示部に表示される画像の画質が低下しないようにすることができる。
【発明を実施するための最良の形態】
【００１７】
以下、本発明の撮像装置を実施するための最良の形態について、図面を参照して説明するが、本発明は以下の形態に限定されるものではない。
【００１８】
［撮像装置の外観構成例］
まず、本発明の撮像装置の一実施形態における外観構成について、図１〜図４を参照して説明する。
なお、以下の説明においては、使用者（撮影者）側から見た状態で前後方向、上下方向、左右方向を示し、被写体側を前方、撮影者側を後方とする。
【００１９】
図１は本発明の撮像装置の一実施形態を示すものであり、撮像レンズが閉塞された状態を前方から見た外観斜視図、図２は撮像レンズが閉塞された状態を後方から見た外観斜視図である。また、図３は撮像レンズが開放された状態を前方から見た外観斜視図、図4は撮像レンズが開放された状態を後方から見た外観斜視図である。
【００２０】
撮像装置１は、いわゆるデジタルスチルカメラであり、被写体からの光学的な画像を電気的な信号に変換して情報記録媒体に記録したり、電気的な信号に基づいた画像を液晶ディスプレイや有機ＥＬディスプレイ等の表示部に表示したりすることができる。
【００２１】
撮像装置１は、扁平な横長の略直方体状に形成されており、装置本体２と、この装置本体２に対してスライド可能に連結されたスライド部材３を備えている。装置本体２は、扁平な横長の略直方体状に形成され、前方に向いた前面２ａと、後方に向いた背面２ｂと、上面２ｃと、下面２ｄと、左側面２ｅと、右側面２ｆを有している。
【００２２】
装置本体２の前面２ａには、被写体からの光が入射する撮像レンズ１１と、後述するフラッシュ装置４８の発光部１２と、オートフォーカス機構の補助発光部１３が露出されている（図３を参照）。これら撮像レンズ１１、発光部１２及び補助発光部１３は、スライド部材３によって覆われており、スライド部材３をスライドさせることにより、露出されるようになっている。
【００２３】
装置本体２の背面２ｂには、表示部１５が配置されている。表示部１５は、例えば、液晶ディスプレイ等の平面パネルによって構成されている。この表示部１５は、横長の長方形に形成されており、背面２ｂの略全体を専有する大きさに設定されている。また、装置本体２の右側面２ｆには、ストラップ取付部１６が設けられている。
【００２４】
スライド部材３は、装置本体２の左右方向へスライドし、撮像レンズ１１を閉塞したレンズ閉塞状態（図１を参照）と、撮像レンズ１１を開放したレンズ開放状態（図３を参照）となる。つまり、スライド部材３は、レンズ閉塞状態から右方向にスライドすると、撮像レンズ１１を開放してレンズ開放状態となる。本実施の形態の撮像装置１では、スライド部材３をレンズ閉塞状態からレンズ開放状態にすることにより、電源スイッチがオンとなる。
【００２５】
スライド部材３は、装置本体２の前面２ａを覆う前カバー２１（図１を参照）と、この前カバー２１に対向する後カバー２２（図４を参照）と、前カバー２１及び後カバー２２に連続する上カバー２３、下カバー２４、側部カバー２５とを備えている。
【００２６】
前カバー２１は、装置本体２の前面２ａと同じ大きさの長方形に形成されており、レンズ閉塞状態のときに前面２ａの全体を覆う。そして、スライド部材３がレンズ閉塞状態からレンズ開放状態になるまでスライドすると、前カバー２１は、装置本体２の前面２ａに対して右方向にずれ、撮像レンズ１１を開放する。この前カバー２１には、発光部１２及び補助発光部１３を露出させるための開口窓２１ａが設けられている。この開口窓２１ａは、後述する開閉板８１によって開閉されるようになっている。
【００２７】
後カバー２２は、縦長の長方形に形成されており、短辺がスライド部材３のスライド量と略等しい長さに設定されている。この後カバー２２は、レンズ閉塞状態において装置本体２内に収納され、レンズ開放状態において装置本体２の側方へ突出する。後カバー２２には、操作部の一具体例を示すズーム操作用のズームボタン３１が配置されている。このズームボタン３１は、レンズ閉塞状態において、後カバー２２と共に装置本体２内に収納される。
【００２８】
上カバー２３は、装置本体２の上面２ｃと共に撮像装置１の上部を形成する。この上カバー２３には、シャッタボタン３２と、再生ボタン３３が設けられている。シャッタボタン３２は、撮影時に押圧操作するボタンであり、再生ボタン３３は、撮影した画像を表示部１５に表示させる場合に押圧操作するボタンである。また、下カバー２４は、装置本体２の下面２ｄと共に撮像装置１の下部を形成する。
【００２９】
側部カバー２５は、装置本体２の右側面２ｆと共に撮像装置１の右側部を形成する。この側部カバー２５には、電源ボタン３４と、通信ボタン３５が設けられている。電源ボタン３４は、電源をオン・オフさせる場合に押圧操作するボタンであり、通信ボタン３５は、撮像装置１と外部装置との間でデータの送受信を行う際に用いるボタンである。送受信するデータとしては、例えば、撮影した画像、その画像を撮影した日時等を挙げることができる。
【００３０】
［装置本体の構成例］
次に、装置本体２の構成について、図５〜図７を参照して説明する。
図５は、撮像装置１を分解して前方から見た分解斜視図である。図６は、撮像装置１を分解して後方から見た分解斜視図である。図７Ａはレンズ閉塞状態である場合の撮像装置１の横断面図、図７Ｂはレンズ開放状態である場合の撮像装置１の横断面図である。
【００３１】
装置本体２は、前方に開口された外装ケース４１と、この外装ケース４１の開口部を塞ぐ前面部材４２を有している。外装ケース４１は、装置本体２の背面２ｂと、上面２ｃと、下面２ｄと、左右の側面２ｅ，２ｆを形成している。外装ケース４１の背面２ｂ（図６を参照）には、表示部１５を露出させる背面側開口部４１ａが設けられている。
【００３２】
外装ケース４１の上面２ｃには、スライド部材３の上カバー２３が摺動する上側摺動部４３が設けられている（図１０を参照）。この上側摺動部４３には、スライド部材３の後カバー２２が貫通する溝部（図示せず）が形成されている。また、外装ケース４１の下面２ｄには、スライド部材３の下カバー２４が摺動する下側摺動部４４（図１０を参照）が設けられている。この下側摺動部４４には、上側摺動部４３と同様に、スライド部材３の後カバー２２が貫通する溝部（図示せず）が形成されている。
【００３３】
図７に示すように、外装ケース４１の内部には、レンズ鏡筒４５と、回路基板４６と、サブ回路基板４７と、フラッシュ装置４８と、情報記録媒体４９と、バッテリ５０と、前述した補助発光部１３及び表示部１５等が配置されている。
【００３４】
レンズ鏡筒４５は、撮像レンズ１１を含む複数のレンズと、これら複数のレンズを固定又は移動可能に支持する鏡筒ケース４５ａを備えている。このレンズ鏡筒４５の撮像レンズ１１を含む複数のレンズは、折り曲げ式レンズとして構成されている。鏡筒ケース４５ａには、撮像レンズ１１を含む複数のレンズによって導かれた光を電気信号に変換する撮像素子４０（図９を参照）が固定されている。この撮像素子４０としては、ＣＣＤイメージセンサやＣＭＯＳイメージセンサ等を適用することができる。
【００３５】
回路基板４６は、外装ケース４１の開口部から突出するように配置され、フレキシブル配線板（図示せず）によって撮像素子４０及びレンズ鏡筒４５の駆動部等と電気的に接続されている。この回路基板４６には、中央演算処理装置（ＣＰＵ）や各種の電気部品が実装されている。中央演算処理装置は、レンズ鏡筒４５の駆動部及びフラッシュ装置４８等を制御したり、撮像素子４０から供給される信号の処理を行ったりする。
【００３６】
情報記録媒体４９は、回路基板４６の後方に配置されており、回路基板４６と電気的に接続されている。この情報記録媒体４９は、カード型の半導体記録メディアであり、外装ケース４１に設けられた記録媒体収納部４１ｂに出し入れ可能に収納されている。なお、情報記録媒体としては、半導体記録メディアに限定されるものではなく、光記録媒体、磁気ディスク等を用いることもできる。
【００３７】
バッテリ５０は、情報記録媒体４９の後方に配置されており、回路基板４６と電気的に接続されている。このバッテリ５０は、撮像装置１に電源を供給するものであり、外装ケース４１に設けられたバッテリ収納部４１ｃに出し入れ可能に収納されている。
【００３８】
表示部１５は、バッテリ５０の後方であって、外装ケース４１の背面２ｂ側に配置されている（図７を参照）。この表示部１５の表示面１５ａは、前述した背面側開口部４１ａから露出している。この表示部１５とバッテリ５０との間には、スライド部材３の後カバー２２が収納される後カバー収納部４１ｄが設けられている。つまり、表示部１５と回路基板４６との間には、記録媒体収納部４１ｂと、バッテリ収納部４１ｃと、後カバー収納部４１ｄが設けられている。
【００３９】
サブ回路基板４７は、後カバー収納部４１ｄの側方に配置されている。後カバー収納部４１ｄの側方は、スライド部材３の後カバー２２と干渉しないスペースである。つまり、サブ回路基板４７は、表示部１５と回路基板４６との間であって、スライド部材３の後カバー２２と干渉しないスペースに配置されている。
【００４０】
サブ回路基板４７は、フレキシブル配線板（図示せず）によって回路基板４６及び表示部１５等と電気的に接続されている。したがって、表示部１５は、サブ回路基板４７を介して回路基板４６と電気的に接続されている。このサブ回路基板４７には、各種の電気部品が実装されている。つまり、サブ回路基板４７は、各種の電気部品が実装される第２の回路基板（回路基板４６を第１の回路基板とする）としての役割と、表示部１５と回路基板４６との間を中継する中継基板としての役割を有している。
【００４１】
このように、後カバー収納部４１ｄを設けることにより生じたスペースを有効に活用してサブ回路基板４７を配置することにより、回路基板４６に実装する電気部品の数を削減することができる。その結果、回路基板４６の面積を小さくすることができ、撮像装置１の小型化を図ることができる。
【００４２】
図５及び図６に示すように、前面部材４２は、装置本体２の前面２ａを形成するベース板５１と、このベース板５１に固定される枠板５２を備えている。
【００４３】
ベース板５１は、レンズ鏡筒４５と、フラッシュ装置４８及び補助発光部１３を覆う略Ｌ字状に形成されている。このベース板５１には、レンズ用開口部５１ａと、発光部用開口部５１ｂと、補助発光部用開口部５１ｃが設けられている。
【００４４】
レンズ用開口部５１ａは、撮像レンズ１１に対向する位置に設けられており、撮像レンズ１１に対応した大きさの略四角形に形成されている。発光部用開口部５１ｂは、フラッシュ装置４８の発光部１２を露出させるための開口部であり、発光部１２に対応した大きさに形成されている。また、補助発光部用開口部５１ｃは、補助発光部１３を露出させるための開口部であり、補助発光部１３に対応した大きさに形成されている。
【００４５】
また、ベース板５１の前カバー２１に対向する面には、係合ピン５４が設けられている。この係合ピン５４は、前方に突出する円柱状に形成されている。係合ピン５４には、スライド部材３の前カバー２１に設けられた開閉板８１が係合される。
【００４６】
枠板５２は、横長の長方形に形成されており、その開口部５２ａが回路基板４６に対応した大きさに設定されている。この枠板５２の開口部５２ａには、回路基板４６が貫通される（図８を参照）。枠板５２及び回路基板４６は、スライド部材３の前カバー２１によって常に覆われる。したがって、レンズ閉塞状態とレンズ開放状態及びその中間の状態の何れの状態であっても、枠板５２及び回路基板４６が外部に露出されることは無い。
【００４７】
枠板５２の前カバー２１に対向する面には、一対のガイドレール５５，５６と、２つのガイドピン５７Ａ，５７Ｂと、ギア５８が設けられている。ギア５８は、枠板５２の左辺に回転可能に取り付けられている。このギア５８には、スライド部材３の前カバー２１に設けられた後述するラック７３が噛合う。
【００４８】
ガイドレール５５は、枠板５２の上辺に設けられており、この上辺に沿って左右方向に延在されている。このガイドレール５５は、枠板５２の上辺に連続して前方に突出する突出片５５ａと、この突出片５５ａに連続して上方に延びるフランジ片５５ｂからなっている。このガイドレール５５には、スライド部材３の前カバー２１に設けられた後述する摺動係合部７１が摺動可能に係合される。
【００４９】
ガイドレール５６は、枠板５２の下辺に設けられており、この下辺に沿って左右方向に延在されている。つまり、ガイドレール５６は、ガイドレール５５に対して平行に延在されている。このガイドレール５６は、枠板５２の下辺に連続して前方に突出する突出片５６ａと、この突出片５６ａに連続して下方に延びるフランジ片５６ｂからなっている。ガイドレール５６には、スライド部材３の前カバー２１に設けられた後述する摺動係合部７２が摺動可能に係合される。
【００５０】
２つのガイドピン５７Ａ，５７Ｂは、枠板５２の上辺に設けられており、左右方向に適当な間隔をあけて配置されている。これらガイドピン５７Ａ，５７Ｂは、それぞれ前方に突出する円柱状に形成されている。各ガイドピン５７Ａ，５７Ｂは、スライド部材３の前カバー２１に設けられた後述する係合溝６４Ａ，６４Ｂにそれぞれ係合される。
【００５１】
本実施の形態では、装置本体２の前面において、常にスライド部材３によって覆われる領域に、回路基板４６を貫通させる開口部５２ａを設けた。そして、開口部５２ａの周囲にスライド部材３を案内するガイドレール５５，５６及びガイドピン５７Ａ，５７Ｂを設けた。これにより、回路基板４６や表示部１５等を配置するスペースを確保しながら、装置本体２の厚みを薄くすることができ、撮像装置１の薄型化を図ることができる。
【００５２】
［スライド部材の構成例］
次に、スライド部材３の構成について、図５及び図６を参照して説明する。
【００５３】
上述したように、スライド部材３は、前カバー２１と、後カバー２２と、上カバー２３と、下カバー２４と、側部カバー２５とを備えている。このスライド部材３は、前カバー２１が装置本体２の枠板５２にスライド可能に係合することにより、装置本体２に対してスライド動作が可能となっている。そのため、ここでは、スライド部材３の前カバー２１について説明する。
【００５４】
スライド部材３の前カバー２１は、装置本体２の枠板５２にスライド可能に係合するスライド板６１と、このスライド板６１の枠板５２に対向する面の反対側の面を覆うカバー板６２を備えている。カバー板６２は、接着剤などの固着手段によりスライド板６１に固定され、スライド部材３の体裁面を形成している。このカバー板６２には、上述した開口窓２１ａが設けられている。
【００５５】
スライド板６１には、装置本体２の２つのガイドピン５７Ａ，５７Ｂがそれぞれ係合される２つの係合溝６４Ａ，６４Ｂと、係合ピン用開口部６５と、スライド板側開口部６６（図６を参照）が設けられている。
【００５６】
２つの係合溝６４Ａ，６４Ｂは、左右方向に適当な間隔をあけて配置されており、それぞれ左右方向に延びる細長の貫通孔として形成されている。スライド部材３のスライド量は、係合溝６４Ａ，６４Ｂの左右方向の長さによって決定されている。つまり、ガイドピン５７Ａ，５７Ｂが係合溝６４Ａ，６４Ｂの右側の端部に係合されることにより、スライド部材３のスライドが係止され、レンズ閉塞状態となる。また、ガイドピン５７Ａ，５７Ｂが係合溝６４Ａ，６４Ｂの左側の端部に係合されることにより、スライド部材３のスライドが係止され、レンズ開放状態となる。
【００５７】
係合ピン用開口部６５は、２つの係合溝６４Ａ，６４Ｂの上方に形成されている。この係合ピン用開口部６５は、スライド板６１と枠板５２の係合ピン５４との干渉を避けるために設けられた開口部である。
【００５８】
スライド板側開口部６６は、カバー板６２の開口窓２１ａに対向する位置に設けられており、開口窓２１ａと同一の形状に形成されている。これらスライド板側開口部６６及び開口窓２１ａは、レンズ開放状態において、フラッシュ装置４８の発光部１２及び補助発光部１３に対向される。
【００５９】
スライド板６１のカバー板６２と対向する面には、開閉板８１が回動可能に取り付けられている。この開閉板８１は、係合ピン用開口部６５を貫通した係合ピン５４と係合することにより、開口窓２１ａを開く方向に回動し、レンズ開放状態において、開口窓２１ａの全範囲を開放する。
【００６０】
スライド板６１の装置本体２と対向する面には、装置本体２の一対のガイドレール５５，５６にそれぞれ摺動可能に係合される一対の摺動係合部７１，７２と、装置本体２のギア５８と噛合うラック７３が設けられている。
【００６１】
一対の摺動係合部７１，７２は、上下方向に所定の間隔をあけて設けられており、それぞれ左右方向に延在されている。摺動係合部７１は、スライド板６１に連続して後方に突出する突出片７１ａと、この突出片７１ａに連続して下方に延びるフランジ片７１ｂからなっている。また、摺動係合部７２は、スライド板６１に連続して後方に突出する突出片７２ａと、この突出片７２ａに連続して上方に延びるフランジ片７２ｂからなっている。
【００６２】
ラック７３は、左右方向に延在される細長の部材からなり、一方の長辺にギア５８と噛合う歯が形成されている。このように、ラック７３とギア５８を噛合わせると、スライド部材３を左右方向にスライドさせるときに抵抗を生じさせることができる。その結果、スライド部材３をスライドさせる場合の操作感を向上させることができると共に、撮像装置１を傾けたときに、重力によってスライド部材３がスライドすることを防止することができる。
【００６３】
［装置本体とスライド部材の係合状態］
次に、装置本体２とスライド部材３の係合状態について、図８を参照して説明する。
図８は、図１に示すＡ−Ａ線部分の断面図ある。
【００６４】
装置本体２に対してスライド部材３が連結された状態において、スライド部材３の前カバー２１に設けた一対の摺動係合部７１，７２は、装置本体２の一対のガイドレール５５，５６にそれぞれ摺動可能に係合されている。これにより、スライド部材３は、一対のガイドレール５５，５６に沿って左右方向にスライド可能となる。
【００６５】
また、一対の摺動係合部７１，７２が一対のガイドレール５５，５６にそれぞれ係合されることにより、スライド部材３の前後方向への移動が規制される。その結果、スライド部材３の前後方向のガタツキを防止或いは軽減することができる。
【００６６】
一方、スライド部材３の前カバー２１に設けた２つの係合溝６４Ａ，６４Ｂには、装置本体２の２つガイドピン５７Ａ，５７Ｂが係合されている。これにより、スライド部材３のスライド量が制限される。つまり、各係合溝６４Ａ，６４Ｂの端部がガイドピン５７Ａ，５７Ｂに当接することにより、スライド部材３のスライドが係止される。
【００６７】
また、２つガイドピン５７Ａ，５７Ｂが２つの係合溝６４Ａ，６４Ｂにそれぞれ係合されることにより、スライド部材３の上下方向への移動が規制される。その結果、スライド部材３の上下方向のガタツキを防止或いは軽減することができる。
【００６８】
このように、本実施の形態では、前後方向及び上下方向のガタツキを防止或いは軽減しながらスライド部材３を左右方向にスライドさせることができる。そのため、装置本体２に対してスライド部材３を円滑にスライドさせることができ、スライド部材３の操作性を向上させることができる。
【００６９】
［スライド部材の内部構成例］
次に、スライド部材３の内部構成について、図９及び図１０を参照して説明する。
図９は、図１に示すＢ−Ｂ線部分の断面図、図１０は、図３に示すＣ−Ｃ線部分の断面図である。
【００７０】
スライド部材３の内部には、フレキシブル配線板７５が配置されている。このフレキシブル配線板７５により、スライド部材３に配置されたズームボタン３１、シャッタボタン３２、再生ボタン３３、電源ボタン３４及び通信ボタン３５は、装置本体２の回路基板４６と電気的に接続されている。
【００７１】
フレキシブル配線板７５は、レンズ閉塞状態で折り曲がり（図９を参照）、レンズ開放状態で左右方向に延びた状態（図１０を参照）となる。つまり、フレキシブル配線板７５は、レンズ開放状態においても回路基板４６に届くような長さに設定されており、レンズ閉塞状態において屈曲するようになっている。
【００７２】
フレキシブル配線板は、長くしたり屈曲させたりすることにより伝達される信号にノイズが発生し易くなる。しかしながら、本実施の形態のフレキシブル配線板７５によって伝達される信号は、ズームボタン３１などの各種操作ボタンにおける単純な信号（「０」と「１」で表される）である。そのため、フレキシブル配線板７５によって伝達される信号に多少のノイズが発生しても、その信号が表す情報を正確に伝えることができる。
【００７３】
また、本実施の形態のフレキシブル配線板７５によって伝達される信号は、ズームボタン３１などの各種操作ボタンにおける信号であるため、伝達する信号が少ない。したがって、フレキシブル配線板７５を、回路基板４６と撮像素子４０を接続するフレキシブル配線板のように大型のものにする必要が無く、スライド部材３の内部に大きなスペースを確保しなくてもよい。その結果、撮像装置１の小型化を図ることができる。
【００７４】
［開口窓の開閉機構］
次に、スライド部材３の前カバー２１に設けた開口窓２１ａの開閉機構について、図１１及び図１２を参照して説明する。
図１１は、レンズ閉塞状態において開閉板８１が開口窓２１ａを閉塞した状態を示す説明図である。図１２は、レンズ開放状態において開閉板８１が開口窓２１ａを解放した状態を示す説明図である。
【００７５】
本実施の形態では、装置本体２の撮像レンズ１１、発光部１２及び補助発光部１３がスライド部材３のスライド方向である左右方向に並ぶように配置されている。この場合、スライド部材３のスライドによって、撮像レンズ１１、発光部１２及び補助発光部１３の全てを露出させるには、スライド部材３の移動距離を長く設定する必要がある。
【００７６】
スライド部材３の移動距離を長く設定すると、レンズ開放状態における撮像装置１が大型化すると共に、美観を損なうという問題がある。そのため、スライド部材３の移動距離が短くても、撮像レンズ１１、発光部１２及び補助発光部１３を露出できる構成が望まれる。
【００７７】
そこで、本実施の形態では、スライド部材３の前カバー２１に設けられ、発光部１２及び補助発光部１３を露出させる開口窓２１ａと、スライド部材３のスライドに連動して開口窓２１ａを開閉する開閉機構とを備える構成とした。これにより、スライド部材３が撮像レンズ１１を露出させるだけの距離をスライドする構成であっても、発光部１２及び補助発光部１３を露出させることができる。
【００７８】
図１１及び図１２に示すように、スライド部材３の開口窓２１ａを開閉する開閉機構は、スライド部材３に回動可能に取り付けられる開閉板８１と、付勢部材の一具体例を示す引張りコイルばね８６と、開閉板８１に係合する係合ピン５４から構成されている。
【００７９】
開閉板８１には、回動軸８２と、取付孔８３と、係合片８４が設けられている。
【００８０】
回動軸８２は、開閉板８１のスライド板６１に対向する面から略垂直に突出する円柱状に形成されている。この回動軸８２は、スライド板６１に設けられた軸孔（図示せず）に回転可能に嵌合されている。この回動軸８２により、開閉板８１は、スライド板６１に回動可能に取り付けられている。
【００８１】
取付孔８３は、開閉板８１の一端部に形成されている。この取付孔８３には、引張りコイルばね８６の一端が取り付けられている。引張りコイルばね８６の他端は、スライド板６１に設けられたばね取付部６８に取り付けられている。開閉板８１は、引張りコイルばね８６のばね力によって開口窓２１ａを閉じる方向であるＬ方向に付勢されている。この開閉板８１のＬ方向への回動は、開閉板８１の上辺がスライド板６１の縁部に当接することにより係止されている。そして、前カバー２１の開口窓２１ａは、Ｌ方向への回動を係止された開閉板８１によって閉じられる。
【００８２】
係合片８４は、開閉板８１の上辺から突出しており、第１の係合端面８４ａと、この第１の係合端面に連続する第２の係合端面８４ｂを有している。第１の係合端面８４ａは、レンズ閉塞状態において、装置本体２の係合ピン５４に対向している。第２の係合端面８４ｂは、第１の係合端面８４ａに対して傾斜している。係合片８４の２つの係合端面８４ａ，８４ｂは、装置本体２の係合ピン５４に係合される。
【００８３】
開閉板８１は、係合片８４の係合端面８４ａ，８４ｂが係合ピン５４に係合されることにより、引張りコイルばね８６のばね力に抗してＲ方向に回動される。そして、レンズ開放状態において、前カバー２１の開口窓２１ａが完全に開かれた状態となる。
【００８４】
次に、開口窓２１ａを開閉する開閉機構の動作を説明する。
【００８５】
図１１に示すレンズ閉塞状態において、開閉板８１は、引張りコイルばね８６のばね力によってＲ方向に付勢され、開口窓２１ａ（スライド板側開口部６６）を開く方向であるＲ方向への回動が規制されている。また、レンズ閉塞状態では、開閉板８１の上辺がスライド板６１の縁部に当接しているため、開閉板８１のＬ方向への回動は係止されている。これにより、開閉板８１は、開口窓２１ａを閉じる位置に停止している。
【００８６】
このレンズ閉塞状態からスライド部材３をスライドさせると、開閉板８１がスライド部材３と共に移動し、スライド板６１の係合ピン用開口部６５を貫通する係合ピン５４に係合片８４が係合する。この状態から、さらにスライド部材３をスライドさせると、第１の係合端面８４ａが係合ピン５４によって押圧され、開閉板８１は、引張りコイルばね８６のばね力に抗してＲ方向に回動する。
【００８７】
この状態から、さらにスライド部材３をスライドさせると、第１の係合端面８４ａと係合ピン５４との係合が外れ、これと同時に第２の係合端面８４ｂが係合ピン５４に係合する。このとき、第２の係合端面８４ｂが係合ピン５４に押圧され、開閉板８１が引張りコイルばね８６のばね力に抗してＲ方向に回動する。
【００８８】
その後、第２の係合端面８４ｂがスライド部材３のスライド方向である左右方向と平行になると、開閉板８１のＲ方向への回動が停止され、開口窓２１ａは完全に開かれる。本実施の形態では、図１２に示すレンズ開放状態になるときに、第２の係合端面８４ｂがスライド部材３のスライド方向平行になる。そのため、スライド部材３をスライドさせてレンズ開放状態にしたときに、開口窓２１ａが開かれた状態となる。
【００８９】
開閉板８１によって開口窓２１ａを閉じるには、レンズ閉塞状態となるようにスライド部材３をスライドさせる。これにより、開閉板８１の係合片８４が係合ピン５４から外れる。その結果、開閉板８１は、引張りコイルばね８６のばね力によってＲ方向に回動し、開口窓２１ａを閉じる位置で停止する。
【００９０】
上述したような開口窓２１ａ及び開閉機構は、本実施の形態のスライド部材３だけではなく、電子機器に用いられる他のスライド部材にも適用できる。例えば、電子機器の操作ボタンを覆うスライド部材に、本実施の形態の開口窓及び開閉機構を適用することもできる。その場合、スライド部材によって操作ボタンを保護することができると共に、操作ボタンの誤操作を防止することができる。
【００９１】
つまり、開口窓及び開閉機構を有する装置は、装置本体と、スライド部材と、開閉板と、付勢部材と、係合部とを備える。装置本体には、外面に露出対象物が設けられている。スライド部材は、装置本体に対してスライド可能に連結されると共に、露出対象物を露出させる開口窓を有する。開閉板は、スライド部材に回動可能に取り付けられ、スライド部材の開口窓を開閉する。付勢部材は、開口窓を閉じる第１の方向に開閉板を付勢する。係合部は、装置本体に設けられ、スライド部材が装置本体に対してスライドすることにより開閉板と係合し、開口窓を開く第２の方向に開閉板を回動させる。
【００９２】
［ズームボタンの構成例］
次に、スライド部材３の後カバー２２に配置されたズームボタン３１の構成について、図１３及び図１４を参照して説明する。
図１３は、ズームボタン３１の外観斜視図、図１４は、ズームボタンの構成を示す説明図である。
【００９３】
デジタルスチルカメラに設けられるズームボタンとしては、操作感を考慮してシーソー型のボタン（以下、「シーソー型ボタン」）を適用することが多い。ところが、シーソー型ボタンは、押しボタンよりも厚くなってしまう。なぜなら、シーソーを構成するために回転軸を用いた機構となるからである。また、一方の操作部を押圧すると、他方の操作部が持ち上がってしまうからである。そこで、本実施の形態では、押しボタンでありながらシーソー型ボタンのような感触を得ることができるズームボタン３１を構成した。
【００９４】
ズームボタン３１は、スライド部材３の後カバー２２に設けられたズームボタン用開口部２２ａから露出される。このズームボタン３１は、電気回路が設けられた基板９１と、一対のドーム型電極９２Ａ，９２Ｂと、弾性シート９３と、一対の押し子９４Ａ，９４Ｂ（図１５を参照）と、一対のキートップ９５Ａ，９５Ｂを備えている。
【００９５】
一対のドーム型電極９２Ａ，９２Ｂは、基板９１に適当な間隔をあけて配置されており、スイッチ回路を構成している。つまり、各ドーム型電極９２Ａ，９２Ｂは、押圧されることにより撓み変形し、基板９１に設けた電気回路の接点を閉じる。そして、各ドーム型電極９２Ａ，９２Ｂは、押圧が解除されることにより復元して電気回路の接点を開く。このように撓み変形するドーム型電極９２Ａ，９２Ｂは、ズームボタン３１を押圧操作したときのクリック感を生じさせる。
【００９６】
弾性シート９３は、例えば、シリコーンゴムや各種エラストマー等の弾性を有する材料からなり、基板９１のドーム型電極９２Ａ，９２Ｂが配置される面を覆っている。弾性シート９３は、接着剤９６によって後カバー２２の内面に固定されている（図１５を参照）。この弾性シート９３には、ドーム型電極９２Ａに対向する第１の膨出部９７Ａと、ドーム型電極９２Ｂに対向する第２の膨出部９７Ｂと、これら膨出部９７Ａ，９７Ｂを連結する連結部９８が設けられている。
【００９７】
第１の膨出部９７Ａは、四角形の枠状に形成された立上り片１０１と、この立上り片１０１に連続する上面片１０２を有している。また、第２の膨出部９７Ｂは、膨出部９７Ａと同一形状となっており、立上り片１０３と、上面片１０４を有している。膨出部９７Ａ，９７Ｂは、立上り片１０１，１０３の一側壁１０１ａ，１０３ａが隣り合うように配置されている。そして、連結部９８は、立上り片１０１，１０３の一側壁１０１ａ，１０３ａを連結している。
【００９８】
立上り片１０１，１０３の一側壁１０１ａ，１０３ａ及び連結部９８は、弾性シート９３の他の部分よりも厚く形成されている。本実施の形態において、一側壁１０１ａ，１０３ａと連結部９８の厚みｔ１は、弾性シート９３の他の部分の厚みｔ２の２倍以上に設定されている。これにより、第１の膨出部９７Ａは、立上り片１０１の一側壁１０１ａ以外の部分が弾性変形し易くなっており、第２の膨出部９７Ｂは、立上り片１０３の一側壁１０３ａ以外の部分が弾性変形し易くなっている。
【００９９】
ズームボタン３１が後カバー２２に取り付けられた状態において、２つの膨出部９７Ａ，９７Ｂは、後カバー２２のズームボタン用開口部２２ａに挿入されている。そして、ズームボタン用開口部２２ａから２つの膨出部９７Ａ，９７Ｂの周辺部が露出される。そのため、弾性シート９３は、ズームボタン３１と後カバー２２との体裁が整うように、後カバー２２と同一の色に設定されている。
【０１００】
一対の押し子９４Ａ，９４Ｂは、膨出部９７Ａ，９７Ｂの上面片１０２，１０４に設けられた嵌合穴に嵌合され、接着剤などの固着手段によって固定されている。これら押し子９４Ａ，９４Ｂは、樹脂などの硬い部材から形成されている。つまり、押し子９４Ａ，９４Ｂは、弾性シート９３よりも硬い部材によって形成されている。
【０１０１】
押し子９４Ａは、第１の膨出部９７Ａの上面片１０２に嵌合されて上面片１０２と同一平面を形成する嵌合部１０６ａと、この嵌合部１０６ａに連続してドーム型電極９２Ａ側に突出する押圧部１０６ｂを有している（図１５を参照）。また、押し子９４Ｂは、第２の膨出部９７Ｂの上面片１０４に嵌合されて上面片１０４と同一平面を形成する嵌合部１０７ａと、この嵌合部１０７ａに連続してドーム型電極９２Ｂ側に突出する押圧部１０７ｂを有している。
【０１０２】
一対のキートップ９５Ａ，９５Ｂは、金属又は樹脂によって四角形の平板状に形成され、それぞれ上面片１０２，１０４に接着剤などの固着手段によって固定されている。これらキートップ９５Ａ，９５Ｂは、上面片１０２，１０４より少し大きく設定されている。そのため、各キートップ９５Ａ，９５Ｂの周縁部は、上面片１０２，１０４からはみ出している。
【０１０３】
キートップ９５Ａ，９５Ｂの表面には、ボタンの機能を示す文字が印刷されている。つまり、キートップ９５Ａには、テレ（望遠）を示す「Ｔ」が印刷され、キートップ９５Ｂには、ワイド（広角）を示す「Ｗ」が印刷されている。本実施の形態では、キートップ９５Ａ，９５Ｂの表面に「Ｗ」、「Ｔ」の印刷を施したが、例えば、キートップ９５Ａ，９５Ｂを透明な部材によって形成する場合には、キートップ９５Ａ，９５Ｂの裏面に印刷を施してもよい。また、文字や図は、キートップに彫刻を施すことによって表してもよい。
【０１０４】
［ズームボタンの動作］
次に、ズームボタン３１の動作について、図１５を参照して説明する。
図１５Ａは押圧操作されていない状態のズームボタン３１を示す断面図、図１５Ｂは押圧操作された状態のズームボタン３１を示す断面図である。
【０１０５】
ズームボタン３１が押圧操作されていない状態では、図１５Ａに示すように、弾性シート９３の膨出部９７Ａ，９７Ｂは、弾性変形しない。したがって、ドーム型電極９２Ａ，９２Ｂも撓み変形することはなく、基板９１に設けた電気回路の接点が開かれた状態になっている。
【０１０６】
例えば、図１５Ｂに示すように、ズームボタン３１のキートップ９５Ｂに対して押圧操作が行われると、キートップ９５Ｂに加えられた押圧力が弾性シート９３の第２の膨出部９７Ｂに伝わり、第２の膨出部９７Ｂが弾性変形する。
【０１０７】
このとき、第２の膨出部９７Ｂの上面片１０４には、キートップ９５Ｂが固定されているため、上面片１０４は弾性変形しない。また、第２の膨出部９７Ｂの立上り片１０３のうち一側壁１０３ａは、第２の膨出部９７Ｂの他の部分より肉厚に構成されているため、弾性変形しない。したがって、キートップ９５Ｂに加えられた押圧力が弾性シート９３の第２の膨出部９７Ｂに伝わると、立上り片１０３のうち一側壁１０３ａ以外の側壁１０３ｂが弾性変形する。
【０１０８】
立上り片１０３のうち一側壁１０３ａ以外の側壁１０３ｂが弾性変形することにより、キートップ９５Ｂは、キートップ９５Ａ側と反対側の端部がズームボタン用開口部２２ａ内に沈み込むように傾斜する。その結果、使用者は、シーソー型ボタンのような感触を得ることができる。
【０１０９】
第２の膨出部９７Ｂが弾性変形すると、上面片１０４に固定された押し子９４Ｂの押圧部１０６ｂがドーム型電極９２Ｂを押圧する。これにより、ドーム型電極９２Ｂが撓み変形し、基板９１に設けた電気回路の接点が閉じられ、撮像装置１におけるズーム動作が実行される。
【０１１０】
上述したように、押し子９４Ｂが弾性シート９３よりも硬い部材によって形成されている。そのため、押し子を弾性シート９３のような柔らかい部材で形成した場合よりも、ドーム型電極９２Ｂが撓み変形するときに生じるクリック感がキートップ９５Ｂに伝わり易くなる。その結果、ズームボタン３１を押圧操作した感触を使用者に確実に認識させることができ、ズームボタン３１の操作性を向上させることができる。
【０１１１】
また、押し子９４Ｂが弾性シート９３よりも硬い部材によって形成されているため、押し子９４Ｂは、弾性変形することがない。その結果、接点を閉じるために必要な膨出部９７Ｂの基板９１に垂直な方向の変位量を、接点を閉じるために必要なドーム型電極９２Ｂの基板９１に垂直な方向の変位量と略同一にすることができ、ズームボタン３１を薄型化することができる。
【０１１２】
例えば、押し子を弾性シートと一体に成形した場合、接点を閉じるために必要な膨出部の基板に垂直な方向の変位量は、接点を閉じるために必要なドーム型電極の基板に垂直な方向の変位量と押し子の潰れ量とを足したものになる。そのため、膨出部の高さを押し子の潰れ量だけ高くする必要があり、本実施の形態のズームボタン３１よりも厚みのあるズームボタンとなってしまう。
【０１１３】
なお、ここでは、ズームボタンのキートップ９５Ｂ側の動作について説明したが、キートップ９５Ｂ側においても、キートップ９５Ｂ側と同様の動作となる。つまり、キートップ９５Ａに対して押圧操作が行われると、立上り片１０１のうち一側壁１０１ａ以外の側壁１０１ｂが弾性変形する。これにより、キートップ９５Ａは、キートップ９５Ｂ側と反対側の端部がズームボタン用開口部２２ａ内に沈み込むように傾斜する。その結果、使用者は、シーソー型ボタンのような感触を得ることができる。
【０１１４】
本実施の形態のズームボタン３１は、シーソー型のボタンではないため、キートップ９５Ａとキートップ９５Ｂが同時に押圧操作されることもある。その場合は、基板９１に設けた電気回路或いは装置本体２の回路基板４６に、予めキートップ９５Ａに係る接点とキートップ９５Ｂに係る接点の優先順位を設定すればよい。
【０１１５】
本実施の形態では、キートップ９５Ａ，９５Ｂが後カバー２２と重ならない構成であるため、ズームボタン３１を薄型化することができる。また、本実施の形態では、押し子９４Ａ，９４Ｂを弾性シート９３に固定する構成としたが、押し子９４Ａ，９４Ｂをキートップ９５Ａ，９５Ｂと一体に形成することもできる。
【０１１６】
本実施の形態では、ズームボタン３１として上述したような機構を有するボタン装置を用いたが、このようなボタン装置は、電子機器に設けられる各種のボタンに適用することができる。その場合、ボタン装置は、基板と、接点切替部材と、弾性シートと、一対の押し子と、一対のキートップとを備える。
【０１１７】
ボタン装置の基板には、電気回路が設けられている。一対の接点切替部材は、基板上に配置され、撓み変形することにより電気回路の接点の切替えを行う。弾性シートは、一対の接点切替部材に対向される２つの膨出部を有し、２つの膨出部の互いに隣り合う部分がその他の部分よりも肉厚に形成されている。一対の押し子は、２つの膨出部をそれぞれ貫通し、各膨出部が弾性変形することにより対応する接点切替部材を押圧する。一対のキートップは、２つの膨出部にそれぞれ固定される。
【０１１８】
［制御回路の構成例］
次に、撮像装置１の制御回路について、図１６を参照して説明する。
図１６は、撮像装置１の制御回路例を示すブロック図である。
【０１１９】
撮像装置１は、制御回路の中心的な役割を担う映像記録／再生回路部１２０と、内蔵メモリ１２１と、映像信号処理部１２２と、モニタ駆動部１２３と、レンズ鏡筒制御部１２４等を備えている。
【０１２０】
映像記録／再生回路部１２０は、例えば、中央演算処理装置（ＣＰＵ）を有する演算回路等を備えている。この映像記録／再生回路部１２０には、内蔵メモリ１２１と、映像信号処理部１２２と、モニタ駆動部１２３と、レンズ鏡筒制御部１２４と、増幅器１２６と、第１のインタフェース（Ｉ／Ｆ）１２８と、第２のインタフェース（Ｉ／Ｆ）１２９とが接続されている。
【０１２１】
第１のインタフェース（Ｉ／Ｆ）１２８には、コネクタ１３１が接続されている。このコネクタ１３１には、情報記録媒体４９が着脱自在に接続される。第２のインタフェース（Ｉ／Ｆ）１２９には、装置本体２に設けられた接続端子１３２が接続されている。
【０１２２】
映像記録／再生回路部１２０は、映像信号処理部１２２から供給された映像信号に基づいて画像データを生成し、モニタ駆動部１２３に出力する。また、映像記録／再生回路部１２０は、生成した画像データを、第１のインタフェース（Ｉ／Ｆ）１２８を介して情報記録媒体４９に記録したり、情報記録媒体４９に記録された画像データを読み出したりする。
【０１２３】
内蔵メモリ１２１は、ＲＯＭ（Read Only Memory）と、ＲＡＭ（Random Access Memory）を有している。ＲＯＭには、映像記録／再生回路部１２０において実行されるプログラムや、その処理に必要なデータ等が記憶されている。ＲＡＭは、映像記録／再生回路部１２０がプログラムを実行する際に一時的にデータを記憶するために使用される。
【０１２４】
映像信号処理部１２２は、レンズ鏡筒４５に取り付けられた撮像素子４０に増幅器１２６を介して接続されている。撮像素子４０から出力された電気信号は、増幅器１２６によって増幅され、映像信号処理部１２２に入力される。映像信号処理部１２２は、供給された電気信号を処理して映像信号を生成し、映像記録／再生回路部１２０に出力する。
【０１２５】
モニタ駆動部１２３は、映像記録／再生回路部１２０から供給された画像データに基づいて画像表示信号を生成し、表示部１５に出力する。表示部１５は、供給された画像表示信号に基づいた画像を表示する。
【０１２６】
レンズ鏡筒制御部１２４には、レンズ駆動部１３４と、位置センサ１３５が接続されている。レンズ駆動部１３４としては、レンズ鏡筒４５の所定のレンズを光軸方向に移動させるズームモータや、像ぶれ補正レンズを光軸方向と直交する方向に移動させる補正レンズ用アクチュエータ等を挙げることができる。位置センサ１３５は、像ぶれ補正レンズの位置を検出するものである。例えば、補正レンズ用アクチュエータがマグネットとコイルを用いて構成される場合、位置センサ１３５としては、マグネットの磁力を検出するホール素子を適用することができる。
【０１２７】
また、レンズ鏡筒制御部１２４には、第３のインタフェース（Ｉ／Ｆ）１３０を介してぶれ検出部１３６が接続されている。ぶれ検出部１３６は、装置本体２に付加される振れや揺れ等による変位を検出するものである。このぶれ検出部１３６としては、加速度センサやジャイロセンサを適用することができる。
【０１２８】
被写体からの光が撮像レンズ１１に入射されると、その光は、レンズ鏡筒４５のレンズ系に導かれて撮像素子４０の結像面に結像される。撮像素子４０は、結像面に結像された光を電気信号に変換する。撮像素子４０から出力された電気信号は、増幅器１２６を介して映像信号処理部１２２に入力される。
【０１２９】
映像信号処理部１２２は、供給された電気信号を処理して映像信号を生成し、映像記録／再生回路部１２０に出力する。映像記録／再生回路部１２０は、映像信号に基づいて画像データを生成し、モニタ駆動部１２３や情報記録媒体４９に出力する。その結果、被写体からの光に対応した画像が、表示部１５に表示されたり、情報記録媒体４９に記録されたりする。
【０１３０】
［実施の形態の効果］
上述した実施の形態の撮像装置１によれば、撮像素子４０が取り付けられたレンズ鏡筒４５と、表示部１５と、回路基板４６が装置本体２に設けられている。したがって、スライド部材３をスライドさせるために、回路基板４６と撮像素子４０とを接続するフレキシブル配線板や、回路基板４６と表示部１５とを接続するフレキシブル配線板を長くしたり屈曲させたりする必要が無い。
【０１３１】
また、スライド部材３をスライドさせても、回路基板４６と撮像素子４０とを接続するフレキシブル配線板や、回路基板４６と表示部１５とを接続するフレキシブル配線板に外力が加わらないようにすることができる。
【０１３２】
これにより、回路基板４６と撮像素子４０とを接続するフレキシブル配線板や、回路基板４６と表示部１５とを接続するフレキシブル配線板によって伝達される信号にノイズが発生することを防止或いは抑制することができる。その結果、装置本体２に対してスライド可能なスライド部材３を備えていても、撮像素子４０によって得た画像や表示部１５に表示される画像の画質が低下しないようにすることができる。
【０１３３】
上述した実施の形態の撮像装置１によれば、装置本体２は、常にスライド部材３によって覆われる開口部５２ａを有する。そして、回路基板４６が開口部５２ａを貫通する構成とした。そのため、回路基板４６や表示部１５等を配置するスペースを確保しながら、装置本体２の厚みを薄くすることができ、撮像装置１の薄型化を図ることができる。
【０１３４】
上述した実施の形態の撮像装置１によれば、装置本体２の開口部５２ａの近傍にスライド部材３を案内するガイドレール５５，５６及びガイドピン５７Ａ，５７Ｂを設けた。そのため、開口部５２ａを貫通する回路基板４６と、ガイドレール５５，５６及びガイドピン５７Ａ，５７Ｂとを上下方向に重ねて配置することができ、撮像装置１の薄型化を図ることができる。
【０１３５】
上述した実施の形態の撮像装置１によれば、表示部１５と回路基板４６との間に設けた後カバー収納部４１ｄに、スライド部材３の後カバー２２が収納される。そのため、装置本体２の背面２ｂがスライド部材３によって隠れることがない。したがって、表示部１５の表示面を装置本体２の背面２ｂ全体を占有する大きさに形成しても、使用者は、常に表示面の全範囲を見ることができる。
【０１３６】
上述した実施の形態の撮像装置１によれば、サブ回路基板４７は、表示部１５と回路基板４６との間であって、スライド部材３の後カバー２２と干渉しないスペースにサブ回路基板４７を配置した。つまり、後カバー収納部４１ｄを設けることにより生じた後カバー収納部４１ｄの側方のスペースを有効に活用してサブ回路基板４７を配置した。そのため、回路基板４６に実装する電気部品の数を削減することができる。その結果、回路基板４６の面積を小さくすることができ、撮像装置１の小型化を図ることができる。
【０１３７】
上述した実施の形態の撮像装置１は、スライド部材３の前カバー２１に設けられ、発光部１２及び補助発光部１３を露出させる開口窓２１ａと、スライド部材３のスライドに連動して開口窓２１ａを開閉する開閉機構とを備える。これにより、スライド部材３が撮像レンズ１１を露出させるだけの距離をスライドする構成であっても、発光部１２及び補助発光部１３を露出させることができる。
【０１３８】
上述した実施の形態の撮像装置１は、ズームボタン３１が、電気回路が設けられた基板９１と、一対のドーム型電極９２Ａ，９２Ｂと、弾性シート９３と、一対の押し子９４Ａ，９４Ｂと、一対のキートップ９５Ａ，９５Ｂを備える。
【０１３９】
一対のドーム型電極９２Ａ，９２Ｂは、基板９１上に配置され、撓み変形することにより電気回路の接点の切替えを行う。弾性シート９３は、一対のドーム型電極９２Ａ，９２Ｂに対向される２つの膨出部９７Ａ，９７Ｂを有している。そして、２つの膨出部９７Ａ，９７Ｂの互いに隣り合う一側壁１０１ａ，１０３ａを、その他の側壁１０１ｂ，１０３ｂよりも肉厚に形成した。
【０１４０】
そのため、例えば、キートップ９５Ａに対して押圧操作が行われると、第１の膨出部９７Ａの肉厚部分以外が弾性変形し、キートップ９５Ａは、キートップ９５Ｂ側と反対側の端部が沈み込むように傾斜する。その結果、使用者は、シーソー型ボタンのような感触を得ることができる。
【０１４１】
しかも、一対の押し子９４Ａ，９４Ｂを弾性シート９３よりも硬い部材によって形成した。そのため、膨出部９７Ａ，９７Ｂの接点を閉じるために必要な変位量（基板９１に垂直な方向）を、ドーム型電極９２Ａ，９２Ｂの接点を閉じるために必要な変位量（基板９１に垂直な方向）と略同一にすることができる。その結果、ズームボタン３１を薄型化することができる。
【０１４２】
また、一対の押し子９４Ａ，９４Ｂを弾性シート９３よりも硬い部材によって形成することにより、ドーム型電極９２Ａ，９２Ｂが撓み変形するときに生じるクリック感を確実にキートップ９５Ｂに伝達することができる。その結果、ズームボタン３１を押圧操作した感触を使用者に確実に認識させることができ、ズームボタン３１の操作性を向上させることができる。
【０１４３】
本発明は、前述しかつ図面に示した実施の形態に限定されるものではなく、その要旨を逸脱しない範囲内で種々の変形実施が可能である。例えば、前記実施の形態においては、撮像装置としてデジタルスチルカメラを適用した例について説明したが、デジタルビデオカメラ、カメラ付き携帯電話端末、その他の撮像装置にも適用できるものである。
【図面の簡単な説明】
【０１４４】
【図１】本発明の撮像装置の第１の実施の形態を示すものであり、撮像レンズが閉塞された状態を前方から見た外観斜視図である。
【図２】本発明の撮像装置の第１の実施の形態を示すものであり、撮像レンズが閉塞された状態を後方から見た外観斜視図である。
【図３】本発明の撮像装置の第１の実施の形態を示すものであり、撮像レンズが開放された状態を前方から見た外観斜視図である。
【図４】本発明の撮像装置の第１の実施の形態を示すものであり、撮像レンズが開放された状態を後方から見た外観斜視図である。
【図５】本発明の撮像装置の第１の実施の形態を分解して前方から見た分解斜視図である。
【図６】本発明の撮像装置の第１の実施の形態を分解して後方から見た分解斜視図である。
【図７】図７Ａは本発明の撮像装置の第１の実施の形態における撮像レンズが閉塞された状態の横断面図、図７Ｂは撮像レンズが開放された状態の横断面図である。
【図８】図１に示すＡ−Ａ線部分の断面図ある。
【図９】図１に示すＢ−Ｂ線部分の断面図である。
【図１０】図３に示すＣ−Ｃ線部分の断面図である。
【図１１】本発明の撮像装置の第１の実施の形態における開閉板が開口窓を閉塞した状態を示す説明図である。
【図１２】本発明の撮像装置の第１の実施の形態における開閉板が開口窓を開放した状態を示す説明図である。
【図１３】本発明の撮像装置の第１の実施の形態におけるズームボタンの外観斜視図である。
【図１４】本発明の撮像装置の第１の実施の形態におけるズームボタンの構成を示す説明図である。
【図１５】図１５Ａは本発明の撮像装置の第１の実施の形態におけるズームボタンが押圧操作されていない状態を示す断面図、図１５Ｂはズームボタンが押圧操作された状態を示す断面図である。
【図１６】本発明の撮像装置の第１の実施の形態の制御回路例を示すブロック図である。
【符号の説明】
【０１４５】
１…撮像装置（デジタルスチルカメラ）、  ２…装置本体、  ３…スライド部材、  １１…撮像レンズ、  １２…発光部、  １３…補助発光部、  １５…表示部、  ２１…前カバー、  ２１ａ…開口窓、  ２２…後カバー、  ２３…上カバー、  ２４…下カバー、  ２５…側部カバー、  ３１…ズームボタン、  ４０…撮像素子、  ４１…外装ケース、  ４１ａ…背面側開口部、  ４１ｂ…記録媒体収納部、  ４１ｃ…バッテリ収納部、  ４１ｄ…後カバー収納部、  ４２…前面部材、  ５１…ベース板、  ５２…枠板、  ５２ａ…開口部、  ５４…係合ピン、  ６１…スライド板、  ６２…カバー板、  ７５…フレキシブル配線板、  ８１…開閉板、  ８２…回動軸、  ８３…、  ８４…係合片、  ８４ａ…第１の係合端面、  ８４ｂ…第２の係合端面、  ８６…引張りコイルばね（付勢部材）、  ９１…基板、  ９２Ａ，９２Ｂ…ドーム型電極、  ９３…弾性シート、  ９４Ａ，９４Ｂ…押し子、  ９５Ａ，９５Ｂ…キートップ、  ９７Ａ，９７Ｂ…膨出部、  ９８…連結部、  １０１，１０３…立上り片、  １０２，１０４…上面片、  １０１ａ，１０３ａ…一側壁
【図１】
2010026266.tif 000003
【図２】
2010026266.tif 000004
【図３】
2010026266.tif 000005
【図４】
2010026266.tif 000006
【図５】
2010026266.tif 000007
【図６】
2010026266.tif 000008
【図７】
2010026266.tif 000009
【図８】
2010026266.tif 000010
【図９】
2010026266.tif 000011
【図１０】
2010026266.tif 000012
【図１１】
2010026266.tif 000013
【図１２】
2010026266.tif 000014
【図１３】
2010026266.tif 000015
【図１４】
2010026266.tif 000016
【図１５】
2010026266.tif 000017
【図１６】
2010026266.tif 000018